(57)【要約】  本発明は、ボールベアリング保持器及びそのようなボールベアリング保持器を有するボールベアリングに関する。ボールベアリング保持器（２）、２部品式ボールベアリング保持器（２）は、偶数個のボールポケット（８）を形成して、それに対応する数の所定ボール径（１２）のボール（１０）を収容する二つの、特に少なくとも実質的に同一の保持器部品（４，６）を備える。それぞれの保持器部品（４，６）は、環状体（１４，１６）を備え、当該環状体には、周方向（２４）に実質的に均等に分散させて配置された複数のウェブ（１８）がボールポケット（８）を形成するために配設され、周方向に隣接する二つのウェブ（１８）毎の周方向（２４）の間隔が、ボール径（１２）の２倍と、周方向（２４）におけるウェブ（１８）の幅（２２）一つ分との合計に略相当する。【選択図】図１
2021513036.tif 000002
【特許請求の範囲】
【請求項１】
偶数個のボールポケット（８）を形成して、それに対応する数の所定ボール径（１２）のボール（１０）を収容する二つの、特に少なくとも実質的に同一の保持器部品（４，６）を有する２部品式ボールベアリング保持器（２）において、
それぞれの保持器部品（４，６）は、環状体（１４，１６）を備え、当該環状体には、周方向（２４）に実質的に均等に分散させて配置された複数のウェブ（１８）が前記ボールポケット（８）を形成するために配設され、前記周方向（２４）に隣接する二つのウェブ（１８）毎の周方向（２４）の間隔（２０）が、前記ボール径（１２）の２倍と、前記周方向（２４）における前記ウェブ（１８）の幅（２２）一つ分との合計に略相当することを特徴とする２部品式ボールベアリング保持器。
【請求項２】
少なくとも一つの保持器部品（４，６）、特にそれぞれの保持器部品（４，６）が、軸方向（５４）において円筒外面（２６，２８）又は円錐外面（２６，３０）、特に略２°から略２０°の間のコーヌス角（５２）、特に略７°から略１２°の間のコーヌス角（５２）を有する円錐外面（２６，３０）を備えていることを特徴とする請求項１に記載の２部品式ボールベアリング保持器（２）。
【請求項３】
少なくとも一つの保持器部品（４，６）が、少なくとも部分的にプラスチックからなり、特にポリエーテルエーテルケトン（ＰＥＥＫ）、ポリエーテルケトン（ＰＥＫ）、ポリフェニレンスルファイド（ＰＰＳ）、ポリアミドイミド（ＰＡＩ）、ポリイミド（ＰＩ）又はフェノール樹脂（ＰＦ）、特に綿繊維強化フェノール樹脂（ＰＦ）からなることを特徴とする請求項１又は２に記載の２部品式ボールベアリング保持器（２）。
【請求項４】
前記二つの保持器部品（４，６）は、一つの同じ物質からなるか若しくは複数の同じ物質からなるか、又は、前記二つの保持器部品（４，６）は、少なくとも部分的に若しくは全体的に異なる物質からなることを特徴とする請求項１から３のいずれか一項に記載の２部品式ボールベアリング保持器（２）。
【請求項５】
前記周方向（２４）に隣接する前記二つのウェブ（１８）毎の、前記周方向（２４）における前記保持器部品（４，６）の外周（３２，３４）側での間隔（７２）は、前記保持器部品（４，６）の内周（３６，３８）側での前記間隔（７４）よりも大きいことを特徴とする請求項１から４のいずれか一項に記載の２部品式ボールベアリング保持器（２）。
【請求項６】
切削形成加工によるか、積層造形、特に３Ｄプリントによるか又は射出成形により製造された請求項１から５のいずれか一項に記載の２部品式ボールベアリング保持器（２）。
【請求項７】
請求項１から６のいずれか一項に記載の２部品式ボールベアリング保持器（２）を単列ラジアル深溝ボールベアリング（４０）に使用する方法。
【請求項８】
内側軌道輪（４２）、外側軌道輪（４４）、所定ボール径（１２）の複数のボール（１０）及び請求項１から６のいずれか一項に記載の２部品式ボールベアリング保持器（２）を有するボールベアリング（４０）において、
前記複数のボール（１０）は、前記２部品式ボールベアリング保持器（２）により形成されるボールポケット（８）の数に対応し（“ボール群”５０）、前記ボールポケット（８）の一つに前記ボール（１０）の一つがそれぞれ収容されていることを特徴とするボールベアリング（４０）。
【請求項９】
前記ボール（１０）は、５ｍｍ未満の前記所定ボール径（１２）を有していることを特徴とする請求項８に記載のボールベアリング（４０）。
【請求項１０】
歯科用装置、特に歯科タービンに使用される請求項８又は９に記載のボールベアリング（４０）。
【請求項１１】
請求項８から１０のいずれか一項に記載のボールベアリング（４０）を組み立てる方法（１００）において、
−前記ボール（１０）を互いに接し合うようにして前記外側軌道輪（４４）内に入れ（１０２）、
−前記内側軌道輪（４２）をまず偏心位置から前記外側軌道輪（４４）内に挿入して前記外側軌道輪（４４）内の略同心の位置へと持っていき（１０４）、
−前記ボール（１０）を分散配置して、これらのボールが前記周方向（２４）に互いに略同じ間隔を有するようにし（１０６）、
−前記二つの保持器部品（４，６）を交互に両側（４６，４８）から前記内側軌道輪と前記外側起動輪（４２，４４）の間に挿入し、これらの保持器部品を互いに向かい合わせにして前記ボール群（５０）にスナップ嵌めする（１０８）
ことを特徴とする方法。
【発明の詳細な説明】
【技術分野】
【０００１】
本発明は、ボールベアリング保持器と、そのようなボールベアリング保持器を有するボールベアリングとに関する。
【背景技術】
【０００２】
転がり軸受は、いわゆる内輪と外輪の間で回転する物体、すなわち転動体が摩擦抵抗を低減する軸受である。転がり軸受は、軸及びシャフトの位置を固定する役割を担い、構造的な形状に応じてラジアル力又はアキシアル力の少なくともいずれかを受け止めると同時にシャフトの回転を可能にしたり、或いはそのようにして軸に支えられた例えば車輪といった部品の回転を可能にしたりする。
【０００３】
ボールベアリング（玉軸受）は、こういった転がり軸受の下位の一群であり、転動体としての役割をボールが担う（転がり軸受の他の下位グループは、−円筒ころ、円すいころなどの然るべき転動体をそれぞれ有する−例えば円筒ころ軸受、円すいころ軸受、針状ころ軸受、凸面ころ軸受又はトロイダル軸受である。）。
【０００４】
ボールベアリングの個々のボール又はボールベアリングのボール群（すなわち、ボールベアリングにおいて周方向の列に配設された全てのボール）の個々のボールを配設するためのボールベアリング保持器（ケージ）も同様に周知であり、（ボールベアリング内のボール群の）ボールをボールベアリングの周方向にほぼ等間隔にその位置に保つ役割を有している。これらのボールは、このとき又はこれに加えて、ボールベアリング保持器により形成された所謂ボールポケットにそれぞれ収容されている。
【０００５】
このようなボールベアリング保持器のさまざまな構成も周知である。例えばウィンドウケージ（ソリッド形ケージとも呼ばれる）や１部品式ないし２部品式のスナップ形保持器などである。
【０００６】
ボールベアリングのウィンドウケージの場合、転動体、つまりボールは、ウィンドウケージにより−通常は一体的に−形成された閉じた輪郭、すなわちボールポケット内に挿入されている。
【０００７】
これに対して、ボールベアリングのスナップ形保持器では、ボールは、−環状体、いわゆる保持器背部にアキシアルに（軸方向に）突出するように且つボールベアリングの周方向に実質的に均等に分散配置させて配設された−ウェブによってその位置が保たれる。この場合、ボールベアリングの周方向に隣接して配設されたどの二つのウェブも、この種のスナップ形保持器においてボールを収容するためのボールポケットを形成し、それらボールポケットの−閉じた輪郭として形成されていないが故の−スナップ開口部、つまり、ボールベアリングの周方向に隣接する二つのウェブ端部間の“開いた”間隙は、ボールポケット内に収容されるボールのそれぞれのボール径よりも通常は小さく（周方向に隣接する二つのウェブ毎の周方向の平均間隔が略ボール径に相当する）、これにより、ボールポケット又はボールベアリング保持器が−ボールベアリングを組み立てる際に−ボール上に“スナップ嵌合”する。
【０００８】
２部品式スナップ形保持器は、上記の−この場合第一の−保持器部品、つまり、突出するウェブが設けられた保持器背部に加えて、この第一の保持器部品に対する相手方の部材を形成する第二の保持器部品が設けられ、この第二の保持器部品−同じく大抵は環状の部品として形成されている−が、第一の保持器部品のスナップ開口部を“閉じ／ロックし”、−それにより第一の保持器部品を補強ないし強化する。
【０００９】
そのようなボールポケットを有するこの種のボールベアリング保持器の場合、所謂ボールポケットすきまが、ボールベアリング保持器の摩耗特性に関して重大な意味を持つ。このボールポケットすきまは、ボールポケット内部におけるボールベアリング保持器の周方向の動き量及びボールのアキシアル（軸方向の）動き量として規定されている。分かり易い見方をすれば或いは簡単に言えば、ボールポケットは、略−最大の−ボール断面形状をなぞり、ボールポケットすきまは、その略最大のボール断面形状を超え出たボールポケットのアキシアル（軸方向の）拡張部分（“拡張された（ポケットの）幅”）及び／又は周方向における拡張部分（“長穴”）である。
【００１０】
ハウジング内における軸受又はボールベアリングの所謂ミスアライメントにより、或いは軸受部位が傾いた場合に、ボール群のボールが異なる速度で動く可能性がある。その結果、先行又は後行のボールがボールポケットの位置から離れようとし、それに伴いボールベアリングの周方向においてボールベアリング保持器に力を及ぼすことになり、この力を−スナップ形保持器の場合であれば−ウェブと保持器背部とによって受け止めなければならなくなる。
【００１１】
これが、その箇所でボールベアリングのスナップ形保持器のボールポケットにおける過度の摩耗を引き起こし、最悪の場合には保持器背部の破損をもたらしかねない。このような保持器背部の破壊が起きた時点で、（スナップ式）保持器は、自身に作用する遠心力によりシューブレーキのように作用するため、軸受又はボールベアリングが瞬く間に故障することになる。
【００１２】
特許文献１（ＤＥ６９９２５９７６Ｔ２）より、２部品式スナップ形保持器を有したラジアル深溝ボールベアリングが公知となっている。この２部品式スナップ形保持器は、同じ構造の二つの個別の部品／半体ないし保持器部品／保持器半体を用いており、これら二つの保持器半体は、取り付け後にボール群内で向かい合わせになりながら互いにスナップ嵌合し、それによりボールポケットのスナップ開口部がロック又は閉鎖される。
【００１３】
しかしながら、特許文献１（ＤＥ６９９２５９７６Ｔ２）より公知の２部品式スナップ形保持器のこの保持器デザインの欠点は、製造上の理由から、例えば歯科用、特に歯科タービンで使用されるようなミニチュア・ボールベアリングに組み込むことができないことにある。歯科タービンのボールベアリング用のスナップ形保持器は、−例えば−約４ｍｍの内径、５ｍｍの外径及び約１．６ｍｍの幅の寸法を有する。そこで使用できる保持器のこの寸法に対し、特許文献１（ＤＥ６９９２５９７６Ｔ２）に記載されているスナップ機構又は同文献内に記載されている保持器デザインは実用化ができない。
【先行技術文献】
【特許文献】
【００１４】
【特許文献１】欧州特許独語翻訳第６９９２５９７６号明細書
【特許文献２】独国特許発明第１０２０１４００８７６３号明細書
【発明の概要】
【発明が解決しようとする課題】
【００１５】
本発明は、従来技術の欠点と制限を克服することを課題とする。特に、本発明は、摩耗特性が改善され、さらにボールベアリングが傾いて走行する際に保持器背部に働く負荷を大幅に低減して保持器背部の破損を回避できるようにする構造上の形態を有したボールベアリング保持器を提供することを課題とする。
【００１６】
特に、本発明は、ミニチュア・ボールベアリングの（応用）分野、特に歯科用途に実用化できる保持器寸法を有するボールベアリング保持器を提供することも課題とする。
【課題を解決するための手段】
【００１７】
この課題は、各独立請求項に記載の特徴を有するボールベアリング保持器並びにボールベアリングによって解決される。
【００１８】
ボールベアリング保持器、つまり２部品式ボールベアリング保持器（以下、多くの場合に“ボールベアリング保持器”とのみいう。）は、二つの、特に少なくとも実質的に同一の保持器部品を備え、これらの保持器部品は、−ボールベアリング保持器が組み立てられた状態では−偶数個のボールポケットを形成して、それに対応する数の所定ボール径のボールを収容する。すなわち、それぞれの−（ボールベアリング保持器が組み立てられた状態で）形成される−ボールポケットは、一つのボールを収容できるか或いは収容する役割を担う。
【００１９】
“２部品式”とはここで、二つの（ボールベアリング保持器の部品としての）保持器部品（だけ）を意味し、−さらに、ボールベアリング保持器が（それ自身又は全体的に）さらに他の部品を備え且つ／又は保持器部品のそれぞれもまた自らさらに他の部品を備えることを排除しない。
【００２０】
このボールベアリング保持器のそれぞれの保持器部品は、さらに環状体（“保持器背部”）を備え、当該環状体には、−保持器部品又はボールベアリング保持器の周方向に−実質的に均等に分散させて配置された、とりわけ実質的に同じに形成されたウェブがボールポケットを形成するように配設されている。
【００２１】
簡単に分かり易く言うと、それぞれの保持器部品の環状体又は保持器背部には、それぞれ−周方向に一様分布した状態で−アキシアル（軸方向）（すなわち、２部品式ボールベアリング保持器の軸方向又はボールベアリング保持器の幅方向におけるボールポケットの延在範囲）に突出するウェブが配設され、これらウェブが、これらウェブにより形成することができるボールポケットを少なくとも実質的に周方向において画成する。
【００２２】
ウェブは、特に両凹形状を備えることができ、その（“内”向きの）丸み／湾曲は、ボール（“円／円弧”）の形に合わされている。
【００２３】
周方向に隣接するウェブ二つずつの間の−保持器部品又はボールベアリング保持器の周方向の−間隔はこのとき、ボール径の２倍と、周方向におけるそのウェブ又はそのようなウェブの幅一つ分との合計に略相当する。
【００２４】
周方向に隣接する二つのウェブ間のこの“間隔”は、次のようにして測れる。すなわち、この間隔は、特にアキシアル（軸方向）、つまり、２部品式ボールベアリング保持器の軸方向におけるボールポケットの延在範囲、のボールポケットの中心において、並びに、−略−ラジアル（径方向）、つまり、ラジアル（径方向）に２部品式ボールベアリング保持器の中心点Ｍに向かう或いは中心点Ｍから遠ざかるウェブの延在範囲、のウェブの平均的な高さ位置において、測定することができ、そしてそれは、それら二つのウェブ間にそれらが関わってできる対応する円弧の長さである（図１参照）。
【００２５】
ウェブの“幅”とは、特に、２部品式ボールベアリング保持器の周方向におけるその延在範囲、分かり易い見方をすれば（円弧の）長さを意味する（図１参照）。
【００２６】
“略”合計と言うことで、−ボール径の２倍と周方向におけるそのウェブの幅又はそのようなウェブの幅とからなる−間隔の総計／測定において、公差も入り得ること、特にボールポケットすきまも含める又は考慮することができることを表現できる。
【００２７】
分かりやすく簡単に言えば、周方向に隣接する保持器部品のどの二つのウェブも−周方向に−（広く）間を空けて或いは互いに離間されて（それぞれの保持器部品の環状体又は保持器背部に配設されて）いることで、−２部品式ボールベアリング保持器を組み立てる際に、或いは組み立てた後に、二つの保持器部品が互いに向かい合わせになりながらボール群にスナップ嵌合するとき−一方の保持器部品の一つのウェブが、他方の保持器部品の周方向に隣接する二つのウェブの間（略真中）にアキシアルに（軸方向に）“入り込む”又は位置するに至ると、或いはそのことを通して、保持器部品の二つのウェブの間に（ボールベアリング保持器が組み立てられた状態で）二つのボールポケット（それ故に、２部品式ボールベアリング保持器でも偶数個のボールポケット）を形成することができるようになっている。
【００２８】
言い換えれば、一方の保持器部品のウェブと他方の保持器部品のウェブとが−ボールベアリング保持器が組み立てられた状態で−ボールベアリング保持器における個々のボールポケットを交互に或いはかわるがわる画成する。
【００２９】
ボールベアリング保持器、すなわち２部品式ボールベアリング保持器は、こうして二つの、特に少なくとも実質的に同一の保持器部品（“保持器半体”）を使用でき、これら二つの保持器部品／保持器半体を−ボールベアリング保持器を組み立てる際に−互いに向かい合わせた状態でボールベアリングのボール群にスナップ嵌めすることができ（”（スナップ式に）ロックする”／“スナップロック”）、それにより−ボールベアリングにおけるボールベアリング保持器又は保持器半体の取り付け後には−ボールベアリング保持器の−偶数の−ボールポケットが出来る。
【００３０】
ボールベアリング保持器、すなわち２部品式ボールベアリング保持器が、互いに向かい合わせた状態でボール群に“スナップ嵌め可能な”保持器部品／保持器半体（“スナップ形保持器”）としてこれら二つの保持器部品／保持器半体を使用できると、そのことによって、これら“スナップ嵌め可能な”保持器部品／保持器半体が、（さらにもっと）ボールベアリング保持器又はボールベアリングの周方向に互い違いに自在に移動できることが可能になる。
【００３１】
その結果、傾いて走行するボール群の先行するボールが周方向に付加的な空いたスペースを生み出すことが（“一体形成され”て（幅と長さが）不変のボールポケットを有する１部品式／２部品式スナップ形保持器の場合とウィンドウケージの場合とにおいてボールを収容する、公知の“一体形成され”てしっかり閉鎖された輪郭／ボールポケットの場合とは違って）可能で、しかもそれにより、二つの保持器半体の保持器背部とボールポケットにかかる負荷を最小限に抑えることができる。
【００３２】
同時に、これら二つの保持器部品／保持器半体の軸方向のシフトも、これに関連するボールベアリングが傾いているときに可能であり、そのときには、二つの保持器部品／保持器半体をボールベアリングの内輪又は外輪それぞれの内輪肩部（ショルダー部）又は外輪肩部（ショルダー部）の上でガイドさせることができるので、これによっても保持器背部とボールポケットとに対して生じる負荷がさらに低くなる。
【００３３】
ボールベアリング保持器のそれぞれの保持器部品／保持器半体を（内輪／外輪の）肩部の上で別々にガイドできることから、発生する振動も有利に減衰させることができる。
【００３４】
また、このボールベアリング保持器は、その設計上、典型的には例えば歯科タービン内の歯科用途のためのボールベアリングといった、ミニチュア・ボールベアリングにこのボールベアリング保持器を使用できるようになるという点で有利であることが判明している。
【００３５】
（２部品式）ボールベアリング／スナップ形保持器の二つの保持器部品／保持器半体のこの（スナップ式の）ロックは、−１部品式のスナップ形保持器と比較して−より狭いスナップ開口部によって実現できるため、ボールベアリング保持器が動作中に分解する危険性をさらに低減できることになる。
【００３６】
ボールベアリングは、−（２部品式）ボールベアリング保持器の他に−内側軌道輪、外側軌道輪及び所定ボール径の複数のボールを備えるが、複数のボールは、（２部品式）ボールベアリング保持器により−ボールベアリング保持器が組み立てられた状態で−形成されるボールポケットの数に対応し（“ボール群”）、ボールポケットの一つに（ボール群の）ボールの一つがそれぞれ収容されている。
【００３７】
このような−（２部品式）ボールベアリング保持器を有した−ボールベアリングは、特に、ラジアル深溝ボールベアリング、アンギュラコンタクトベアリング、スラスト深溝ボールベアリング、スラストアンギュラボールベアリング、４点接触ボールベアリング又はマグネトボールベアリング（ショルダーボールベアリング）であってもよい。
【００３８】
外側軌道輪及び／又は内側軌道輪は、例えば、１００Ｃｒ６（ＤＩＮ（ドイツ工業規格）材料番号（Ｗｅｒｋｓｔｏｆｆ−Ｎｒ．）１.３５０５）であるおよそ炭素１％とクロム１．５％を含有する鋼等のクロム鋼から製造されているのでもよい。他の−外側軌道輪及び／又は内側軌道輪のための−鋼として考えられるのは、例えば、１００ＣｒＭｎ６および１００ＣｒＭｏ６であり、これらの合金元素のマンガン（Ｍｎ）とモリブデン（Ｍｏ）は、この場合、焼入れ性を向上させるのに役立つ。
【００３９】
腐食性環境下でのボールベアリングの用途のために、高合金鋼Ｘ６５Ｃｒ１３（ＤＩＮ材料番号１.４０３７）及びＸ１０５ＣｒＭｏ１７（ＤＩＮ材料番号１.４１２５）、又はＸ３０ＣｒＭｏＮ１５−１（ＤＩＮ材料番号１.４１０８）を−内側軌道輪及び／又は外側軌道輪において−用いることができる。後者の鋼は、人体臓器内にも少なくとも数日間使用することができる。
【００４０】
特殊な動作仕様に対しては、ボールベアリングは、例えば工作機械のスピンドル軸受の場合、軸受リングないし走行リムが鋼からなり、ボールがセラミックからなる（二材料の）ハイブリッド軸受として設けられていてもよいし、走行リムもボールもいずれもセラミックからなるセラミック軸受として設けられていてもよいし、或いはまた、化学産業及び食品産業における腐食性の酸やアルカリに耐えるガラスないしセラミックからなるボールを有したプラスチック軸受として設けられていてもよい。
【００４１】
また、ボールベアリングにおけるボールベアリング保持器が、内輪案内保持器として或いは外輪案内保持器として、とりわけ内輪案内保持器として構成されているようにしてもよい。この場合、ボールベアリング保持器の外周が外側軌道輪の内周上を滑走するか或いはボールベアリング保持器の内周が内側軌道輪の外周上を滑走する。
【００４２】
本発明の好ましい発展形態は、従属請求項からももたらされる。発展形態は、ボールベアリング保持器とボールベアリングのいずれにも関係する。
【００４３】
発展的には、少なくとも一つの保持器部品、特にそれぞれの保持器部品が、軸方向に円筒外面を有するようにしてもよい。この形態又はこの保持器デザインは、好ましくは、回転数に起因してボールベアリングに発生する遠心力によってカロット・ノーズ部（Ｋａｌｏｔｔｅｎ−Ｎａｓｅ）が外側に曲がらない深溝ボール軸受に使用することができる。
【００４４】
これに代えて、少なくとも一つの保持器部品、特にそれぞれの保持器部品が、軸方向に円錐外面、特に略２°から略２０°の間のコーヌス角、特に略７°から略１２°の間のコーヌス角を有する円錐外面を有しているようにしてもよい。これにより、回転数に起因してボールベアリングに発生する遠心力によってカロット・ノーズ部が外側に曲がることができ、このとき外側に湾曲したカロット・ノーズ部が、外側軌道輪の肩部又は走行軌道に接触することを防ぐことができる。
【００４５】
さらに発展的には、少なくとも一つの保持器部品は、少なくとも部分的にプラスチックからなり、特にポリエーテルエーテルケトン（ＰＥＥＫ）、ポリエーテルケトン（ＰＥＫ）、ポリフェニレンスルファイド（ＰＰＳ）、ポリアミドイミド（ＰＡＩ）、ポリイミド（ＰＩ）又はフェノール樹脂（ＰＦ）、特に綿繊維強化フェノール樹脂（ＰＦ）からなるか又は製造されている／されるようにしてもよい。
【００４６】
一つの発展形では、二つの保持器部品は、一つの同じ物質、例えば耐磨耗性の材料ないし滑りを調整された材料、又は、複数の同じ物質からなるようにしてもよい。
【００４７】
また、二つの保持器部品は、少なくとも部分的に若しくは全体的に異なる物質からなるようにしてもよい。好ましくはここで、例えば、第一の保持器部品が耐磨耗性の材料からなり、第二の保持器部品が滑りを調整された材料からなるようにしてもよい。
【００４８】
さらに発展的には、周方向に隣接する二つのウェブ毎の、周方向における保持器部品の外周側での間隔は、それら二つのウェブの、保持器部品の内周側での間隔よりも大きく設けてもよい。
【００４９】
このように内周側又は外周側において間隔寸法が異なる結果、−ボールベアリング保持器が組み立てられた状態では−特に、（ボールベアリング保持器が組み立てられた状態で）形成されるボールポケットがボールベアリング保持器の外周側又は内周側においてそれぞれ（周方向に）異なるボールポケット長さを有することになる（“漏斗形”のボールポケット）。
【００５０】
この種の−ボールベアリング保持器の外周側又は内周側で異なるボールポケット長さを有する−保持器のデザイン−（及びその製造）は、特許文献２（ＤＥ１０２０１４００８７６３Ｂ４）（Ｇｅｂｒｕｅｄｅｒ  Ｒｅｉｎｆｕｒｔ  ＧｍｂＨ＆Ｃｏ．ＫＧ），２０１５年１２月１７日（公開日），段落［００１８］以下に−同文献の特に１部品式の内輪案内スナップ形保持器又は外輪案内スナップ形保持器についての図５から図７及び図１０又は図１５から図１７及び図２０とともに述べられており、これに関連したその内容は、かくして目下の実施例の一部になっている（特許文献２には、“ボールベアリング保持器の外周側のボールポケットの長さが、ボールベアリング保持器の内周側のボールポケットの長さよりも大きい”との記載（特許文献２の段落［００２８］参照）がある。）。
【００５１】
好ましくは、ボールベアリング保持器は、切削形成加工によるか、積層造形、特に３Ｄプリントによるか又は射出成形により製造される又は製造されているものでもよい。
【００５２】
好ましくは、ボールベアリング保持器は、単列ラジアル深溝ボールベアリングに使用又は利用されるようにしてもよい。
【００５３】
また、好ましくは、ボールベアリング保持器は、高速用途のために／において利用又は使用され、回転数のパラメータがおよそｎ×ｄｍ≧１００００００ｍｍ／分（ここで、ｎは内側軌道輪の回転数に対応し、ｄｍは平均軸受径に対応する。）の範囲にある歯科タービンの場合の例のように、例えば歯科技術に応用又は使用されるようにしてもよい。この平均軸受径ｄｍは、ボールベアリングの外径と穴径との間の平均値として算出される。
【００５４】
一発展形では、（ボールベアリング保持器を有した）ボールベアリングのボールは、５ｍｍ未満の所定ボール径を有するようにしてもよい。
【００５５】
好ましくは、ボールベアリング（及び／又はボールベアリング保持器）は、歯科用装置、特に歯科タービンに使用される又は使用されているようにしてもよい。
【００５６】
好ましくは、−ボールベアリング保持器を有する−ボールベアリングの組み立ては、次のステップによって行なわれる：
−ボールを互いに接し合うようにして外側軌道輪内に入れ、
−内側軌道輪をまず偏心位置から外側軌道輪内に挿入して外側軌道輪内の略同心の位置へと持っていき、
−ボールを分散配置して、これらのボールが周方向に互いに略同じ間隔を有するようにし、
−二つの保持器部品を交互に両側から内側軌道輪と外側起動輪の間に挿入し、これらの保持器部品を互いに向かい合わせにしてボール群にスナップ嵌めする。
【００５７】
本発明の有利な形態のこれまでに与えられた説明は、多くの特徴を含み、そのいくつかは、個々の従属請求項に要約されている。しかしながら、当業者であれば、これらの特徴を目的に合せて個別に着目もし、有用なさらなる別の組み合わせに集約するであろう。
【００５８】
本発明の上記の特性、特徴及び長所並びにそれらがどのようにして実現されるかについての態様は、図面に関連させて詳細に説明される一つ又は複数の実施例についての以下の記載との関係でよりはっきり明確に理解できるようになる。
【００５９】
しかしながら、本発明は、機能的な特徴に関してであっても、一つ又は複数の実施例において示される特徴の組み合わせには限定されない。そのため、組み合わせに適したどの実施例の特徴も、明確に分離して着目することもでき、一つの実施例から切り離されて、他の実施例にその実施例を補足するために導入することができる。
【００６０】
同じ部材、構成要素等は、図において同一の符号により示されている。一点鎖線は断面を明示し、一続きの線（実線）はエッジを示している。
【図面の簡単な説明】
【００６１】
【図１】第一の実施形態による二つの同一の保持器半体を有する２部品式スナップ形保持器の一つの保持器半体を（斜視図で）示す図である。
【図２】第一の実施形態による二つの同一の保持器半体を有する２部品式スナップ形保持器の一つの保持器半体を（側面図で）示す図である。
【図３】第一の実施形態による二つの同一の保持器半体を有する２部品式スナップ形保持器の一つの保持器半体を（側面断面図で）示す図である。
【図４】第一の実施形態による二つの同一の保持器半体を有する２部品式スナップ形保持器の一つの保持器半体を（正面断面図で）示す図である。
【図５】第一の実施形態の変形例による二つの同一の保持器半体を有する２部品式スナップ形保持器の一つの保持器半体を（“漏斗形”，正面断面図で）示す図である。
【図６】第一の実施形態による二つの同一の保持器半体を有する２部品式スナップ形保持器の両方の保持器半体を（斜視図で）示す図である。
【図７】第一の実施形態による二つの同一の保持器半体を有する２部品式スナップ形保持器の両方の保持器半体を内輪とボールとともに（斜視図で）示す図である。
【図８】第一の実施形態による二つの同一の保持器半体を有する内輪案内２部品式スナップ形保持器を有するラジアル深溝ボールベアリングを（側面断面図で）示す図である。
【図９】第二の実施形態による二つの同一の保持器半体を有する２部品式スナップ形保持器の一つの保持器半体を（斜視図で）示す図である。
【図１０】第二の実施形態による二つの同一の保持器半体を有する２部品式スナップ形保持器の一つの保持器半体を（側面図で）示す図である。
【図１１】第二の実施形態による二つの同一の保持器半体を有する２部品式スナップ形保持器の一つの保持器半体を（側面断面図で）示す図である。
【図１２】第二の実施形態による二つの同一の保持器半体を有する２部品式スナップ形保持器の一つの保持器半体を（正面断面図で）示す図である。
【図１３】第二の実施形態の変形例による二つの同一の保持器半体を有する２部品式スナップ形保持器の一つの保持器半体を（“漏斗形”，正面断面図で）示す図である。
【図１４】第二の実施形態による二つの同一の保持器半体を有する２部品式スナップ形保持器の両方の保持器半体を（斜視図で）示す図である。
【図１５】第二の実施形態による二つの同一の保持器半体を有する２部品式スナップ形保持器の両方の保持器半体を内輪とボールとともに（斜視図で）示す図である。
【図１６】第二の実施形態による二つの同一の保持器半体を有する内輪案内２部品式スナップ形保持器を有するラジアル深溝ボールベアリングを（側面断面図で）示す図である。
【発明を実施するための形態】
【００６２】
２部品式ボールベアリング保持器又はスナップ形保持器２（図１から図１６）
【００６３】
図１から図８は、２部品式ボールベアリング保持器又は２部品式スナップ形保持器２の第一の実施形態（“円筒外面を有する２部品式ボールベアリング保持器又はスナップ形保持器２”）を（様々な視点で、斜視で、側面視してさらに断面図示して、そしてまた単列ラジアル深溝ボールベアリング４０に組み込まれた状態で）示し；図９から図１６は、２部品式ボールベアリング保持器又は２部品式スナップ形保持器２の第二の実施形態（“円錐外面を有する２部品式ボールベアリング保持器又はスナップ形保持器２”）を（同じように対応させた様々な視点で、斜視で、側面視してさらに断面図示して、そしてまたこの例でも単列ラジアル深溝ボールベアリング４０に組み込まれた状態で）示す。
【００６４】
これら２部品式ボールベアリング保持器又は２部品式スナップ形保持器２は、−その保持器の二つの（ほとんど）同一の（保持器）部品４，６、すなわち、二つの同一の保持器半体４，６により−ボールポケット８を形成し、これらのボールポケットが、ボールベアリング４０のボール１０、或いは−この場合には−単列ラジアル深溝ボールベアリング４０のボール１０を収容するのに用いられる（図７及び図８又は図１５及び図１６を参照）。
【００６５】
この場合、２部品式ボールベアリング保持器又はスナップ形保持器２の形成されたボールポケット８のそれぞれが、一つのボール１０を収容する。２部品式のボールベアリング保持器又はスナップ形保持器２の形成されたボールポケット８に収容された全てのボール１０は、それら全体では（ボールベアリング又は単列ラジアル深溝ボールベアリング４０の）ボール群５０とも呼ばれる。
【００６６】
用いられるボール群５０のボール１０は、所定ボール径１２、例えば１ｍｍを有し、その結果、−この場合には−（これらボール１０又はボール群５０を有した）然るべきボールベアリング４０は、例えば歯科タービンにおけるような歯科用途を例とするミニチュア用途の範囲に入る。
【実施例１】
【００６７】
−円筒外面２６，２８を有する２部品式ボールベアリング保持器又はスナップ形保持器２（図１から図８）
【００６８】
図１から図５は、それぞれ、第一の実施形態（“円筒外面２６，２８”）による２部品式ボールベアリング保持器２又は２部品式スナップ形保持器２（以下、短く単にスナップ形保持器２）の一方の保持器半体４，６を示す。スナップ形保持器２の二つの保持器半体４，６は、互いに同一に形成されている（図６及び図７参照）。
【００６９】
図１から図５が、二つの（同一の）保持器半体４，６の一方についてそれぞれ−例示的に−示しているように、それぞれの保持器半体４，６は、環状の保持器背部１４，１６を備えるとともに、これに−スナップ形保持器２又は保持器半体４，６の周方向２４に略均等に分散配置させた状態で−アキシアル（軸方向）５４に（すなわちスナップ形保持器２又は保持器半体４，６の幅方向５４に）突出するように配設されたウェブ１８を備えている。
【００７０】
ウェブ１８は、図１から図３及び図６から図７に示すように、その軸方向又は幅方向５４に両凹形のカーブ／両凹形状を備え、その（“内”向きの）丸み／湾曲がそれぞれボール１０のボール断面形状（“円／円弧”）に合わされており、それによりウェブ１８は、これらウェブ１８がスナップ形保持器２又は保持器半体４，６の周方向２４にボールポケット８を画成することによって（協働して）ボールポケット８を形成している。
【００７１】
形成されるボールポケット８の（軸方向５４における）幅６４は、それぞれボール１０のボール径１２よりもわずかに大きい。
【００７２】
図１から図７も示すように、保持器部品４，６は、軸方向５４に円筒外面２６，２８を備えている。この第一の実施形態又はこの保持器デザインは、好ましくは、回転数に起因して単列ラジアル深溝ボールベアリング４０に発生する遠心力によってカロット・ノーズ部が外側に曲がらないような単列ラジアル深溝ボールベアリング４０に使用することができる。
【００７３】
これまでの通常のスナップ形保持器又は通常の保持器の、ボールポケットを形成するウェブを備えた保持器部品とは異なり、或いはそれとは変わって、この例では、つまり、本例のスナップ形保持器２又は本例の保持器半体４，６では、特に図１から図５に明らかなように、周方向２４に隣接するウェブ１８二つずつの間の−スナップ形保持器２又は保持器半体４，６の周方向２４における−間隔２０が、ボールポケット８に対して設けられるボール１０のボール径１２の２倍と、周方向２４におけるそのウェブ１８又はそのようなウェブ１８の幅２２一つ分との合計に相当する。公差及び／又はボールポケットすきまがあれば、それは（合計する際に）付け加わるか又は合せて考慮することができる。
【００７４】
これにより、つまり、保持器半体４，６の（における）それらウェブ１８における（の間の）そのような間隔２０の場合には、−スナップ形保持器２又は保持器半体４，６の周方向２４において−周方向２４に隣接する保持器半体４，６のどの二つのウェブ１８の間にも（その他の通常のものとは異なり）二つのボールポケット８を形成することができ、従って二つのボール１０を収容することができる。
【００７５】
周方向２４に隣接する二つのウェブ１８の間のこの“間隔”２０は、次のようにして測れる。すなわち、この間隔は、特に図１から図５に明らかなように、アキシアル（軸方向）５４、つまり、スナップ形保持器２又は保持器半体４，６の（幅方向５４でもある）軸方向５４におけるボールポケット８の延在範囲、のボールポケット８の中心５８において、並びに、ラジアル（径方向）５６、つまり、ラジアル（径方向）５６にスナップ形保持器２の中心点Ｍ６２に向かう或いは中心点Ｍ６２から遠ざかるウェブ１８の延在範囲、のウェブ１８の平均的な高さ位置６０において、測定することができ、そしてそれは、隣接する二つのウェブ１８間にそれらが関わってできる対応する円弧の長さ２０（円弧長２０）である（特に図１から図５参照）。
【００７６】
ウェブ１８の“幅”２２とは、スナップ形保持器２又は保持器半体４，６の周方向２４における−この例であれば、ボールポケット８のアキシアル（軸方向の）中心５８での、並びに、一つ又は複数のウェブ１８の平均的なラジアル（径方向の）高さ位置６０での−その延在範囲２２、分かり易い見方をすれば（円弧の）長さ２２を意味する（特に図１から図５を参照）。
【００７７】
分かりやすく簡単に言えば、周方向２４に隣接する保持器半体４，６のどの二つのウェブ１８も−周方向２４に−（予め決まった間隔２０によって）（広く）間を空けて或いは互いに離間されて（それぞれの保持器半体４，６の保持器背部１４，１６に配設されて）いることで、−スナップ形保持器２を組み立てる際に、或いは組み立てた後に、二つの保持器半体４，６が互いに向かい合わせになりながらボール群５０にスナップ嵌合するとき（図７参照）−一方の保持器部品４，６の一つのウェブ１８が、他方の保持器部品４，６の周方向２４に隣接する二つのウェブ１８の間（略真中）にアキシアルに（軸方向に）“入り込む”又は位置するに至ると、或いはそのことを通して、保持器半体の二つのウェブの間に（スナップ形保持器２が組み立てられた状態で−図６及び図７を参照）、（二つのボール１０を収容するための）二つのボールポケット８を形成することができるようになっている。
【００７８】
言い換えると、一方の保持器部品４，６のウェブ１８と他方の保持器部品４，６のウェブ１８とが、図６及び図７に明らかなように、−スナップ形保持器２が組み立てられた状態で−スナップ形保持器２における個々のボールポケット８を交互に或いはかわるがわる画成する。
【００７９】
スナップ形保持器２は、こうして二つの同一の保持器半体４，６を使用でき、これら二つの保持器半体４，６は−スナップ形保持器２を組み立てる際に−互いに向かい合わせた状態でボールベアリング４０のボール群５０にスナップ嵌めすることができ（”（スナップ式に）ロックする”／“スナップロック”）、それにより−ボールベアリング４０におけるスナップ形保持器２又は保持器半体４，６の取り付け後には−スナップ形保持器２の−偶数の−ボールポケット８が出来る。
【００８０】
図４及び図５は、スナップ形保持器２の第一の実施形態、すなわち円筒外面２６，２８を有するスナップ形保持器２における考えられる代替的な二つの（下位の）形態を示す。
【００８１】
図４が−スナップ形保持器２の二つの同一の保持器半体４，６の一方の保持器半体４,６について例示的に−示しているように、この第一の（下位の）形態では、周方向に隣接する二つのウェブ１８毎の、周方向２４における保持器半体４，６の外周３２，３４側での間隔７２は、それら二つのウェブ１８の、保持器半体４，６の内周３６，３８側での間隔７４と略同じ大きさに設けられ、つまり、ボールポケット８に対して設けられるボール１０のボール径１２の２倍と、周方向２４におけるそのウェブ１８又はそのようなウェブ１８の幅２２一つ分との合計の間隔２０とも同じ大きさに設けられている。
【００８２】
図４が−この寸法を−（断面で）明らかにしているように（図４は、ボールポケット８のアキシアル（軸方向の）中心５８におけるスナップ形保持器２の半径Ｒ６８に平行なスナップ形保持器２の（横）断面である。）、ボールポケット８を周方向２４に画成するウェブ１８の壁部６６は、スナップ形保持器２の径方向におけるそれらの（仮想）延長線７０が保持器の中心点Ｍ６２の“手前で”交差するように、スナップ形保持器２の中心点Ｍ６２に向かう方向に収束するように延在している。
【００８３】
これに対して、第二の代替的な（下位の）形態では、図５が−スナップ形保持器２の二つの同一の保持器半体４，６の一方の保持器半体４,６をここでも同様に例示的に−示しているように、周方向２４に隣接する二つのウェブ１８毎の、周方向２４における保持器半体４，６の外周３２，３４側での間隔７２が、−この場合には−それら二つのウェブ１８の、保持器半体４，６の内周３６，３８側での間隔７４よりも大きく（ボールポケット８に対して設けられるボール１０のボール径１２の２倍と、そのウェブ１８又はそのようなウェブ１８の周方向２４における−ボールポケット８のアキシアル（軸方向の）中心５８におけるとともに一つ又は複数のウェブ１８の平均的なラジアル（径方向の）高さ位置６０における−幅２２との略合計であるよう設けられた間隔２０に関わりなくしかもそれを損なうことなく）設けられている。
【００８４】
図５が−この寸法を−（同じく断面で）明らかにしているように（図５は、同じくボールポケット８のアキシアル（軸方向の）中心５８におけるスナップ形保持器２の半径Ｒ６８に平行なスナップ形保持器２の（横）断面である。）、ボールポケット８を周方向２４に画成するウェブ１８の壁部６６は、スナップ形保持器２の径方向におけるそれらの（仮想）延長線７０が保持器の中心点Ｍ６２において交差するように、スナップ形保持器２の中心点Ｍ６２に向かう方向に収束するように延在している。
【００８５】
このように（第二の代替的な（下位の）形態の場合に）内周３２，３４側又は外周３６，３８側において間隔寸法が異なる結果、−スナップ形保持器２が組み立てられた状態では−特に、（スナップ形保持器２が組み立てられた状態で）形成されるボールポケット８がスナップ形保持器２の外周３２，３４側又は内周３６，３８側においてそれぞれ（周方向２４に）異なるボールポケット長さを有することになる（“漏斗形”のボールポケット８）。
【００８６】
スナップ形保持器２は、例えば、ポリエーテルエーテルケトン（ＰＥＥＫ）、ポリエーテルケトン（ＰＥＫ）、ポリフェニレンスルファイド（ＰＰＳ）、ポリアミドイミド（ＰＡＩ）又はポリイミド（ＰＩ）といった高性能プラスチックから製造されている。
【００８７】
図８は、−内側軌道輪４２並びに外側軌道輪４４の間に−組み込まれた、ボール１０を所定の位置に保持するスナップ形保持器２を有する単列ラジアル深溝ボールベアリング４０を示す。スナップ形保持器２は、内輪案内ボールベアリング保持器２として構成されており、すなわち、スナップ形保持器２の内周３６，３８、言いかえれば二つの保持器半体４，６の内周３６，３８が内側軌道輪４２の外周７６上を滑走する。
【００８８】
スナップ形保持器２のそれぞれの保持器半体４，６をこのとき単列ラジアル深溝ボールベアリング４０における内側軌道輪４２の内輪肩部７８の上で別々にガイドできることから、発生する振動を有利に減衰させることができる。
【００８９】
単列ラジアル深溝ボールベアリング４０の外側軌道輪４４及び内側軌道輪４２は、例えば、１００Ｃｒ６（ＤＩＮ材料番号１.３５０５）であるおよそ炭素１％とクロム１．５％を含有する鋼等のクロム鋼から製造されているのでもよい。
【００９０】
単列ラジアル深溝ボールベアリング４０の組み立て１００では、先ず初めにボール１０を互いに接し合うようにして外側軌道輪４４内に入れること１０２を行なう。
【００９１】
次に、内側軌道輪４２をまず偏心位置から外側軌道輪４４内に挿入し、それから外側軌道輪４４の略同心位置へと持っていくこと１０４を行なう。
【００９２】
そうして次には、ボール１０を分散配置して、これらのボールが周方向２４に互いに略同じ間隔を持つようにすること１０６が行なわれる。
【００９３】
これに続けて、二つの保持器半体４，６を交互に両側４６，４８から内側軌道輪４２と外側起動輪４４の間に挿入し、これらの保持器半体を互いに向かい合わせにしてボール群５０にスナップ嵌めすること１０８を行なう。
【実施例２】
【００９４】
−円錐外面２６，３０を有する２部品式ボールベアリング保持器又はスナップ形保持器２（図９から図１６）
【００９５】
図９から図１３は、それぞれ、第二の実施形態（“円錐外面２６，３０”）による２部品式ボールベアリング保持器２又は２部品式スナップ形保持器２（以下、ここでも短く単にスナップ形保持器２）の一方の保持器半体４，６を示す。スナップ形保持器２の二つの保持器半体４，６は、（第一の実施形態によるスナップ形保持器２と同じか又はそれと同様に）互いに同一に形成されている（図１４及び図１５参照）。
【００９６】
図９から図１３が、二つの（同一の）保持器半体４，６の一方についてそれぞれ−例示的に−示しているように、（第一の実施形態によるスナップ形保持器２と同じか又はそれと同じように）それぞれの保持器半体４，６は、環状の保持器背部１４，１６を備えるとともに、これに−スナップ形保持器２又は保持器半体４，６の周方向２４に略均等に分散配置させた状態で−アキシアル（軸方向）５４に（すなわちスナップ形保持器２又は保持器半体４，６の幅方向５４に）突出するように配設されたウェブ１８を備えている。
【００９７】
ウェブ１８は、図９から図１１及び図１４から図１５に示すように、（第一の実施形態によるスナップ形保持器２と同じか又はそれと同じように）その軸方向又は幅方向５４に両凹形のカーブ／両凹形状を備え、その（“内”向きの）丸み／湾曲がそれぞれボール１０のボール断面形状（“円／円弧”）に合わされており、それによりウェブ１８は、（第一の実施形態によるスナップ形保持器２と同じか又はそれと同じように）これらウェブ１８がスナップ形保持器２又は保持器半体４，６の周方向２４にボールポケット８を画成することによって（協働して）ボールポケット８を形成している。
【００９８】
形成されるボールポケット８の（軸方向５４における）幅６４は、（第一の実施形態によるスナップ形保持器２と同じか又はそれと同じように）それぞれボール１０のボール径１２よりもわずかに大きい。
【００９９】
図９から図１５も示すように、（第一の実施形態によるスナップ形保持器２と違って）保持器部品４，６は、軸方向５４に円錐外面２６，３０を備えている。この第二の実施形態又はこの保持器デザインは、好ましくは、回転数に起因して単列ラジアル深溝ボールベアリング４０に発生する遠心力によってカロット・ノーズ部が外側に曲がるような単列ラジアル深溝ボールベアリング４０に使用することができ、これにより、このとき外側に湾曲したカロット・ノーズ部が、単列ラジアル深溝ボールベアリング４０の外側軌道輪の肩部又は走行軌道に接触することを防ぐことができる。
【０１００】
このスナップ形保持器２の保持器部品４，６におけるこの円錐外面２６，３０のコーヌス角５２は、図９から図１５、特に図１０と図１１にも明らかなように、本例では、約１０°である。
【０１０１】
これまでの通常のスナップ形保持器又は通常の保持器の、ボールポケットを形成するウェブを備えた保持器部品とは異なり、或いはそれとは変って、ここでもまた、つまり、本例のスナップ形保持器２又は本例の保持器半体４，６では、特に図９から図１３に明らかなように、（第一の実施形態によるスナップ形保持器２と同じか又はそれと同じように）周方向２４に隣接するウェブ１８二つずつの間の−スナップ形保持器２又は保持器半体４，６の周方向２４における−間隔２０が、ボールポケット８に対して設けられるボール１０のボール径１２の２倍と、周方向２４におけるそのウェブ１８又はそのようなウェブ１８の幅２２一つ分との合計に相当する。公差及び／又はボールポケットすきまがあれば、それは（合計する際に）付け加わるか又は合せて考慮することができる。
【０１０２】
これにより、つまり、保持器半体４，６の（における）それらウェブ１８における（の間の）そのような間隔２０の場合には、−スナップ形保持器２又は保持器半体４，６の周方向２４において−周方向２４に隣接する保持器半体４，６のどの二つのウェブ１８の間にも（その他の通常のものとは異なり、また第一の実施形態によるスナップ形保持器２と同じか又はそれと同じように）二つのボールポケット８を形成することができ、従って二つのボール１０を収容することができる。
【０１０３】
周方向２４に隣接する二つのウェブ１８の間のこの“間隔”２０は、（第一の実施形態によるスナップ形保持器２と同じか又はそれと同じように）次のようにして測れる。すなわち、この間隔は、特に図９から図１３に明らかなように、アキシアル（軸方向）５４、つまり、スナップ形保持器２又は保持器半体４，６の（幅方向５４でもある）軸方向５４におけるボールポケット８の延在範囲、のボールポケット８の中心５８において、並びに、ラジアル（径方向）５６、つまり、ラジアル（径方向）５６にスナップ形保持器２の中心点Ｍ６２に向かう或いは中心点Ｍ６２から遠ざかるウェブ１８の延在範囲、のウェブ１８の平均的な高さ位置６０において、測定することができ、そしてそれは、隣接する二つのウェブ１８間にそれらが関わってできる対応する円弧の長さ２０（円弧長２０）である（特に図９から図１３参照）。
【０１０４】
ウェブ１８の“幅”２２とは、（第一の実施形態によるスナップ形保持器２と同じか又はそれと同じように）スナップ形保持器２又は保持器半体４，６の周方向２４における−この例であれば、ボールポケット８のアキシアル（軸方向の）中心５８での、並びに、一つ又は複数のウェブ１８の平均的なラジアル（径方向の）高さ位置６０での−その延在範囲２２、分かり易い見方をすれば（円弧の）長さ２２を意味する（特に図９から図１３を参照）。
【０１０５】
分かりやすく簡単に言えば、周方向２４に隣接する保持器半体４，６のどの二つのウェブ１８も−周方向２４に−（予め決まった間隔２０によって）（広く）間を空けて或いは互いに離間されて（それぞれの保持器半体４，６の保持器背部１４，１６に配設されて）いることで、−スナップ形保持器２を組み立てる際に、或いは組み立てた後に、二つの保持器半体４，６が互いに向かい合わせになりながらボール群５０にスナップ嵌合するとき（図１５参照）−一方の保持器部品４，６の一つのウェブ１８が、他方の保持器部品４，６の周方向２４に隣接する二つのウェブ１８の間（略真中）にアキシアルに（軸方向に）“入り込む”又は位置するに至ると、或いはそのことを通して、保持器半体の二つのウェブの間に（スナップ形保持器２が組み立てられた状態で−図１４及び図１５を参照）、（二つのボール１０を収容するための）二つのボールポケット８を形成することができるようになっている。
【０１０６】
言い換えると、一方の保持器部品４，６のウェブ１８と他方の保持器部品４，６のウェブ１８が、図１４及び図１５に明らかなように、（第一の実施形態によるスナップ形保持器２と同じか又はそれと同じように）−スナップ形保持器２が組み立てられた状態で−スナップ形保持器２における個々のボールポケット８を交互に或いはかわるがわる画成している。
【０１０７】
スナップ形保持器２は、こうして（第一の実施形態によるスナップ形保持器２と同じか又はそれと同じように）二つの同一の保持器半体４，６を使用でき、これら二つの保持器半体４，６を−スナップ形保持器２を組み立てる際に−互いに向かい合わせた状態でボールベアリング４０のボール群５０にスナップ嵌めすることができ（”（スナップ式に）ロックする”／“スナップロック”）、それにより−ボールベアリング４０におけるスナップ形保持器２又は保持器半体４，６の組み立て後には−スナップ形保持器２の−偶数の−ボールポケット８が出来る。
【０１０８】
図１２及び図１３は、（第一の実施形態によるスナップ形保持器２と同じか又はそれと同じように）スナップ形保持器２の第二の実施形態、すなわち円錐外面２６，３０を有するスナップ形保持器２における考えられる代替的な二つの（下位の）形態を示す。
【０１０９】
図１２が、−スナップ形保持器２の二つの同一の保持器半体４，６の一方の保持器半体４,６を例示的に−示しているように、（第一の実施形態によるスナップ形保持器２と同じか又はそれと同じように）この第一の（下位の）形態では、周方向に隣接する二つのウェブ１８毎の、周方向２４における保持器半体４，６の外周３２，３４側での間隔７２は、それら二つのウェブ１８の、保持器半体４，６の内周３６，３８側での間隔７４と略同じ大きさに設けられ、つまり、ボールポケット８に対して設けられるボール１０のボール径１２の２倍と、周方向２４におけるそのウェブ１８又はそのようなウェブ１８の幅２２一つ分との合計である間隔２０とも同じ大きさに設けられている。
【０１１０】
図１２が−この寸法を−（断面で）明らかにしているように（図１２は、ボールポケット８のアキシアル（軸方向の）中心５８におけるスナップ形保持器２の半径Ｒ６８に平行なスナップ形保持器２の（横）断面である。）、ボールポケット８を周方向２４に画成するウェブ１８の壁部６６は、スナップ形保持器２の径方向におけるそれらの（仮想）延長線７０が保持器の中心点Ｍ６２の“手前で”交差するように、スナップ形保持器２の中心点Ｍ６２に向かう方向に収束するように延在している。
【０１１１】
これに対して、第二の代替的な（下位の）形態では、図１３が、−スナップ形保持器２の二つの同一の保持器半体４，６の一つ保持器半体４,６をここでもまた同様に例示的に−示しているように、（第一の実施形態によるスナップ形保持器２と同じか又はそれと同じように）周方向２４に隣接する二つのウェブ１８毎の、周方向２４における保持器半体４，６の外周３２，３４側での間隔７２が、−この場合には−それら二つのウェブ１８の、保持器半体４，６の内周３６，３８側での間隔７４よりも大きく（ボールポケット８に対して設けられるボール１０のボール径１２の２倍と、そのウェブ１８又はそのようなウェブ１８の周方向２４における−ボールポケット８のアキシアル（軸方向の）中心５８におけるとともに一つ又は複数のウェブ１８の平均的なラジアル（径方向の）高さ位置６０における−幅２２との略合計であるよう設けられた間隔２０に関わりなくしかもそれを損なうことなく）設けられている。
【０１１２】
図１３が、−この寸法を−（同じく断面で）明らかにしているように（図１３は、同じくボールポケット８のアキシアル（軸方向の）中心５８におけるスナップ形保持器２の半径Ｒ６８に平行なスナップ形保持器２の（横）断面である。）、ボールポケット８を周方向２４に画成するウェブ１８の壁部６６は、スナップ形保持器２の径方向におけるそれらの（仮想）延長線７０が保持器の中心点Ｍ６２において交差するように、スナップ形保持器２の中心点Ｍ６２に向かう方向に収束するように延在している。
【０１１３】
このように（第二の代替的な（下位の）形態の場合に）内周３２，３４側又は外周３６，３８側において間隔寸法が異なる結果、−スナップ形保持器２が組み立てられた状態では−特に、（スナップ形保持器２が組み立てられた状態で）形成されるボールポケット８がスナップ形保持器２の外周３２，３４側又は内周３６，３８側においてそれぞれ（周方向２４に）異なるボールポケット長さを有することになる（“漏斗形”のボールポケット８）。
【０１１４】
スナップ形保持器２は、（第一の実施形態によるスナップ形保持器２と同じか又はそれと同じように）例えば、ポリエーテルエーテルケトン（ＰＥＥＫ）、ポリエーテルケトン（ＰＥＫ）、ポリフェニレンスルファイド（ＰＰＳ）、ポリアミドイミド（ＰＡＩ）又はポリイミド（ＰＩ）といった高性能プラスチックから製造されている。
【０１１５】
図１６は、（第一の実施形態によるスナップ形保持器２と同じか又はそれと同じように）−内側軌道輪４２並びに外側軌道輪４４の間に−組み込まれた、ボール１０を所定の位置に保持するスナップ形保持器２を有する単列ラジアル深溝ボールベアリング４０を示す。スナップ形保持器２は、（第一の実施形態によるスナップ形保持器２と同じか又はそれと同じように）内輪案内ボールベアリング保持器２として構成されており、すなわち、スナップ形保持器２の内周３６，３８、言いかえれば二つの保持器半体４，６の内周３６，３８が内側軌道輪４２の外周７６上を滑走する。
【０１１６】
スナップ形保持器２のそれぞれの保持器半体４，６をこのとき（第一の実施形態によるスナップ形保持器２と同じか又はそれと同じように）単列ラジアル深溝ボールベアリング４０における内側軌道輪４２の内輪肩部７８の上で別々にガイドできることから、発生する振動を有利に減衰させることができる。
【０１１７】
単列ラジアル深溝ボールベアリング４０の外側軌道輪４４及び内側軌道輪４２は、（第一の実施形態によるスナップ形保持器２と同じか又はそれと同じように）例えば、１００Ｃｒ６（ＤＩＮ材料番号１.３５０５）であるおよそ炭素１％とクロム１．５％を含有する鋼等のクロム鋼から製造されているのでもよい。
【０１１８】
単列ラジアル深溝ボールベアリング４０の組み立て１００では、（第一の実施形態によるスナップ形保持器２と同じか又はそれと同じように）先ず初めにボール１０を互いに接し合うようにして外側軌道輪４４内に入れること１０２を行なう。
【０１１９】
次に、内側軌道輪４２をまず偏心位置から外側軌道輪４４内に挿入し、それから外側軌道輪４４の略同心位置へと持っていくこと１０４を行なう。
【０１２０】
そうして次には、ボール１０を分散配置して、これらのボールが周方向２４に互いに略同じ間隔を持つようにすること１０６が行なわれる。
【０１２１】
これに続けて、二つの保持器半体４，６を交互に両側４６，４８から内側軌道輪４２と外側起動輪４４の間に挿入し、これらの保持器半体を互いに向かい合わせにしてボール群５０にスナップ嵌めすること１０８を行なう。
【０１２２】
本発明を好ましい例示的な実施形態によってより詳細に例示および説明したが、本発明は、そのことによって開示された例に限定されているわけではないし、当業者がそこから本発明の範囲を逸脱することなく他の変形例を導き出すことが可能である。
【符号の説明】
【０１２３】
２      （２部品式）ボールベアリング保持器,（２部品式）スナップ形保持器
４      （第一の）保持器部品,（第一の）保持器半体
６      （第二の）保持器部品,（第二の）保持器半体
８      ボールポケット
１０    ボール
１２    ボール径
１４    第一の保持器部品／保持器半体４の環状体／保持器背部
１６    第二の保持器部品／保持器半体６の環状体／保持器背部
１８    ウェブ
２０    （保持器半体／保持器部品４，６の隣接する二つのウェブ１８間の）間隔，円弧長
２２    ウェブ１８の幅，周方向２４における円弧（円弧長）に沿ったウェブ１８の延在範囲
２４    （２部品式）ボールベアリング保持器２又は（２部品式）スナップ形保持器２又は保持器半体４，６又はボールベアリング４０の周方向
２６    外面
２８    円筒外面
３０    円錐外面
３２    第一の保持器部品／保持器半体４又は（２部品式）ボールベアリング保持器２又は（２部品式）スナップ形保持器２又はボールベアリング４０の外周
３４    第二の保持器部品／保持器半体６又は（２部品式）ボールベアリング保持器２又は（２部品式）スナップ形保持器２又はボールベアリング４０の外周
３６    第一の保持器部品／保持器半体４又は（２部品式）ボールベアリング保持器２又は（２部品式）スナップ形保持器２又はボールベアリング４０の内周
３８    第二の保持器部品／保持器半体６又は（２部品式）ボールベアリング保持器２又は（２部品式）スナップ形保持器２又はボールベアリング４０の内周
４０    ボールベアリング,（単列）ラジアル深溝ボールベアリング
４２    内側軌道輪（内輪）
４４    外側軌道輪（外輪）
４６    ボールベアリング４０の第一の側
４８    ボールベアリング４０の第二の側
５０    ボール群
５２    コーヌス角
５４    軸方向，幅方向
５６    径方向
５８    ボールポケット８のアキシアル中心（軸方向の中心）
６０    ウェブ１８の平均的なラジアル高さ位置（径方向の高さ位置）
６２    （２部品式）ボールベアリング保持器又は（２部品式）スナップ形保持器２又はボールベアリング４０の中心点Ｍ
６４    （軸／幅方向５４における）ボールポケット８の幅
６６    ボールポケット８の壁部
６８    半径Ｒ
７０    延長線
７２    （保持器半体／保持器部品４，６の外周側における保持器半体／保持器部品４，６の隣接する二つのウェブ１８間の）間隔，円弧長
７４    （保持器半体／保持器部品４，６の内周側における保持器半体／保持器部品４，６の隣接する二つのウェブ１８間の）間隔，円弧長
７６    内側軌道輪４２の外周
７８    内側軌道輪４２の内輪肩部
１００  ボールベアリング４０の組立方法
１０２  ボール１０の搬入
１０４  内側軌道輪４２の搬入と中心合わせ
１０６  ボール１０の分散配置
１０８  二つの保持器部品／保持器半体４，６の交互の挿入とボール群５０へのスナップ嵌め
【図１】
2021513036.tif 000003
【図２】
2021513036.tif 000004
【図３】
2021513036.tif 000005
【図４】
2021513036.tif 000006
【図５】
2021513036.tif 000007
【図６】
2021513036.tif 000008
【図７】
2021513036.tif 000009
【図８】
2021513036.tif 000010
【図９】
2021513036.tif 000011
【図１０】
2021513036.tif 000012
【図１１】
2021513036.tif 000013
【図１２】
2021513036.tif 000014
【図１３】
2021513036.tif 000015
【図１４】
2021513036.tif 000016
【図１５】
2021513036.tif 000017
【図１６】
2021513036.tif 000018
【国際調査報告】
2021513036.tif 000019
2021513036.tif 000020
2021513036.tif 000021
2021513036.tif 000022
2021513036.tif 000023
2021513036.tif 000024